(57)【要約】【課題】ペン型ＵＳＢフラッシュドライブの提供。【解決手段】コンピュータのＵＳＢソケットに挿入されるＵＳＢプラグが上軸に設けられ、該ＵＳＢプラグがスリーブと結合されて一体とされ、その一端のＰＣ板がスリーブを貫通した後に共同で上軸内に位置決めされ、該上軸が比較的短く且つ内部にインク芯を具備せず、ゆえに負担する重量が軽く、コンピュータに挿入連接される時に安定しぐらつきにくく、接触不良による品質への影響を防止する。【選択図】　　　　図３
0003098469.tif 000002
【実用新案登録請求の範囲】
【請求項１】
下軸、上軸、ホルダ、インク芯、バネ、スリーブ、ＵＳＢプラグ及びＰＣ板で組成され、インク芯がバネを貫通した後、上半部がホルダ底端の芯孔内に挿入され、ホルダ底端にスクリューロッドが設けられて、下軸のネジ孔と組み合わされ、ホルダを利用してバネを押圧してインク芯を下軸内に内縮させられ、ホルダ上縁に雌ネジが設けられたペン型ＵＳＢフラッシュドライブにおいて、
ＵＳＢプラグがスリーブと結合されて一体とされ、ＵＳＢプラグの一端に連接されたＰＣ板がスリーブを貫通し、該スリーブとＰＣ板が共同で上軸の孔内に位置決めされ、スリーブの別端外縁に雄ネジが設けられてホルダの雌ネジと螺合され、上軸、下軸が結合されたことを特徴とする、ペン型ＵＳＢフラッシュドライブ。
【考案の詳細な説明】
【０００１】
【考案の属する技術分野】
本考案は一種のペン型ＵＳＢフラッシュドライブに係り、特に携帯型のメモリカードＵＳＢプラグに係り、それはペンの上軸に設置され、これによりコンピュータへの挿入連接の安定性を確保し、且つペンの下軸内のインク芯を上下に伸縮させられる、ペン型ＵＳＢフラッシュドライブに関する。
【０００２】
【従来の技術】
電子情報テクノロジーの勃興発展により、データを保存するメモリが広く利用されるようになり、例えば一般のデスクトップ型コンピュータ、ノートブック型コンピュータ、ＰＤＡ、ディジタルカメラ、さらにはビジネス用事務機器、はいずれもディジタル技術の進歩に伴いますます大容量のメモリを使用するようになり、且つこのメモリの体積は市場の要求に対応しますます小さくなっている。
【０００３】
図１は一般に市販されているＵＳＢフラッシュドライブ１００であり、このＵＳＢフラッシュドライブ１００のＵＳＢプラグ１０１はコンピュータのＵＳＢソケット内に挿入してデータを読み取ることができる。このＵＳＢフラッシュドライブ１００はデータ保存の機能しか具備せず、他の用途がなく、且つ携帯に不便である。このため図２に示されるようなペン型ＵＳＢフラッシュドライブ２００が提供され、それは、ペンの下軸２０１の上端にＵＳＢプラグ２０２が固定され、平常時はＵＳＢプラグ２０２が上軸２０３内に進入し、下軸２０１下方のインク芯２０１１の外縁にキャップ２０４が嵌合され、このペンがライティングとＵＳＢフラッシュドライブの機能を共に具備するものとされている。このような周知のペン型ＵＳＢフラッシュドライブ２００は設計上、以下のような欠点を有している。
１．ＵＳＢプラグ２０２が下軸２０１に取り付けられているが、下軸２０１は比較的長く且つ内部にインク芯２０１１等の部品を具えているため比較的重く、比較的重い重量を負担し、ＵＳＢプラグ２０２の接触不良を形成しやすい。
２．ＵＳＢプラグ２０２がそれに連接されたＰＣ板２０２１を以て下軸２０１と結合され、コンピュータのＵＳＢソケットに挿入連接される時、ぐらつきと接触不良の状況を発生しやすい。
３．下軸２０１内にＵＳＢプラグ２０２が挿着されているため、インク芯２０１１が特殊規格とされ、使用完了した時、交換用のインク芯を取得することができず、ペン型ＵＳＢフラッシュドライブがライティングの機能を失う。
４．下軸２０１のインク芯２０１１の外縁に別にキャップ２０４を嵌める必要があるが、キャップ２０４と下軸２０１は別個の部品であるため遺失しやすい。
【０００４】
【考案が解決しようとする課題】
ゆえに従来のペン型ＵＳＢフラッシュドライブの欠点を解決することが求められている。
【０００５】
ゆえに、本考案の主要な目的は、一種のペン型ＵＳＢフラッシュドライブを提供することにあり、それは、ＵＳＢフラッシュドライブのＵＳＢプラグをペンの上軸内に設置し、コンピュータに挿入した時にぐらつきを発生しないようにし、接触品質を優良とするほか、下軸内のインク芯も伸縮可能な構造に設置できるようにし、一般のボールペンの形態を保留したものとする。
【０００６】
【課題を解決するための手段】
請求項１の考案は、下軸、上軸、ホルダ、インク芯、バネ、スリーブ、ＵＳＢプラグ及びＰＣ板で組成され、インク芯がバネを貫通した後、上半部がホルダ底端の芯孔内に挿入され、ホルダ底端にスクリューロッドが設けられて、下軸のネジ孔と組み合わされ、ホルダを利用してバネを押圧してインク芯を下軸内に内縮させられ、ホルダ上縁に雌ネジが設けられたペン型ＵＳＢフラッシュドライブにおいて、
ＵＳＢプラグがスリーブと結合されて一体とされ、ＵＳＢプラグの一端に連接されたＰＣ板がスリーブを貫通し、該スリーブとＰＣ板が共同で上軸の孔内に位置決めされ、スリーブの別端外縁に雄ネジが設けられてホルダの雌ネジと螺合され、上軸、下軸が結合されたことを特徴とする、ペン型ＵＳＢフラッシュドライブとしている。
【０００７】
【考案の実施の形態】
図３、４に示されるように、本考案は下軸１、上軸２、ホルダ３、インク芯４、バネ５、スリーブ６、ＵＳＢプラグ７及びＰＣ板８で組成されている。そのうちインク芯４はバネ５を貫通した後、上半部がホルダ３底端の芯孔３１内に挿入され、ホルダ３底端にスクリューロッド３２が設けられて、下軸１のネジ孔１１と組み合わされる（図４参照）。ホルダ３のスクリューロッド３２が下まで回されると、ホルダ３はバネ５を押圧し、並びにインク芯４を押下げて下軸１より突出させる（図５参照）。ホルダ３を上向きに回すと、インク芯４は下軸１内に縮入する。ホルダ３の上縁内側に雌ネジ３３が設けられている。
【０００８】
本考案の特徴は以下のとおりである。
ＵＳＢプラグ７がスリーブ６と結合されて一体とされ、ＵＳＢプラグ７の一端に連接されたＰＣ板８がスリーブ６を貫通し、該スリーブ６とＰＣ板８が共同で上軸２の単辺開口の孔２１内に位置決めされ、スリーブ６の底部外縁に雄ネジ６１が設けられ、該雄ネジ６１がホルダ３の雌ネジ３３と螺合され、これにより、上軸２、下軸１が結合されて一体とされる（図４参照）。
【０００９】
図６に示されるように、ＵＳＢプラグ７をコンピュータのＵＳＢソケットに挿入したい時には、上軸２を回して、上軸２の底端に位置決めされたＵＳＢプラグ７をホルダ３のホルダ孔内より取り外す。
【００１０】
【考案の効果】
総合すると、本考案のペン型ＵＳＢフラッシュドライブは、ＵＳＢプラグが上軸に結合され、周知の下軸内に取り付けられたペン型ＵＳＢフラッシュドライブの数々の欠点を改良し、これにより以下のような長所を有している。
１．上軸は比較的短く且つインク芯がないため重量が軽く、ＵＳＢプラグが上軸に連接されてさらにコンピュータに挿入される時、安定し接触不良の状況を発生しない。
２．ＵＳＢプラグが直接スリーブと結合され（薄いＰＣ板との結合を利用しない）、ゆえにＵＳＢプラグがぐらつきにくく、コンピュータに挿入される時、接触品質が良好である。
３．下軸にＵＳＢプラグが取り付けられないため、下軸内のインク芯を上下に伸縮する構造に設計しやすく、ゆえにインク芯外縁を被覆するキャップを省略できる。
４．下軸内のインク芯が市場に簡単に入手して交換でき、ライティングの用途を保有することができる。
【００１１】
ゆえに本考案の実用機能は疑う余地がなく、また本考案はその出願前に頒布された刊行物にその記載がなく未公開であり、実用新案登録の要件を具備している。
【図面の簡単な説明】
【図１】周知の製品の斜視図である。
【図２】周知の製品の分解斜視図である。
【図３】本考案の分解斜視図である。
【図４】本考案の断面図である。
【図５】本考案の動作表示図である。
【図６】本考案の上軸と下軸分離の表示図である。
【符号の説明】
１　下軸　　　　　１１　ネジ孔　　　　２　上軸
２１　孔　　　　　３　ホルダ　　　　　３１　芯孔
３２　スクリューロッド　　　　　　　　３３　雌ネジ
４　インク芯　　　５　バネ　　　　　　６　スリーブ
６１　雄ネジ　　　７　ＵＳＢプラグ　　８　ＰＣ板
１００　ＵＳＢフラッシュドライブ
１０１　ＵＳＢプラグ
２００　ペン型ＵＳＢフラッシュドライブ
２０１　下軸　　　２０１１　インク芯　２０２　ＵＳＢプラグ
２０２１　ＰＣ板　２０３　上軸　　　　２０４　キャップ
【図１】
0003098469.tif 000003
【図２】
0003098469.tif 000004
【図３】
0003098469.tif 000005
【図４】
0003098469.tif 000006
【図５】
0003098469.tif 000007
【図６】
0003098469.tif 000008